(57)【要約】【課題】色温度は同じで補正量が異なるような光源に対しても、適正な露光量を算出することができ、且つ制御が複雑にならず安価なデジタルカメラを提供することである。【解決手段】被写界からの入射光が測光センサ３２で受光され、該入射光の光量に応じた第１の信号がＢμｃｏｍ５０へ出力される。また、上記被写界の光源が光源センサ５５で検出されて、該光源に応じた第２の信号がＢμｃｏｍ５０へ出力される。このＢμｃｏｍ５０では、ＣＣＤユニット４０への露光を行うための露出量が、上記第２の信号に応じて上記第１の信号が補正されて演算される。【選択図】      図２
2005115145.tif 000002
【特許請求の範囲】
【請求項１】
被写界を撮像する撮像手段と、
上記撮像手段によって撮像された上記被写界の画像を表す映像信号を形成する画像形成手段と、
上記被写界からの入射光を受け、該入射光の光量に応じた第１の信号を出力する上記撮像手段とは異なる光検出手段と、
上記被写界の光源を検出し、該光源に応じた第２の信号を出力する光源検出手段と、
上記撮像手段への露光を行うための露出量を演算する露出量演算手段と、
を具備し、
上記露出量演算手段は、上記第１の信号を上記第２の信号に応じて補正して露出量を演算することを特徴とするデジタルカメラ。
【請求項２】
被写界を撮像する撮像手段と、
上記撮像手段によって撮像された上記被写界の画像を表す映像信号を形成する画像形成手段と、
上記被写界からの入射光を受け、該入射光の光量に応じた第１の信号を出力する上記撮像手段とは異なる光検出手段と、
上記被写界の光源を検出し、該光源に応じた第２の信号を出力する光源検出手段と、
上記第２の信号に応じた補正量が格納された補正量記憶手段と、
上記撮像手段への露光を行うための露出量を演算する露出量演算手段と、
を具備し、
上記露出量演算手段は、上記第２の信号の出力に応じて、上記補正量記憶手段から補正量を算出し、上記第１の信号と上記補正量とに基づいて露出量を演算することを特徴とするデジタルカメラ。
【請求項３】
被写界を撮像する撮像手段と、
上記撮像手段によって撮像された上記被写界の画像を表す映像信号を形成する画像形成手段と、
上記被写界からの入射光を受け、該入射光の光量に応じた第１の信号を出力する上記撮像手段とは異なる第１の光検出手段と、
上記被写界からの入射光を受け、該入射光の光量に応じた第２の信号を出力する上記撮像手段とは異なる第２の光検出手段と、
上記被写界の光源を検出し、該光源に応じた第３の信号を出力する光源検出手段と、
上記第３の信号に応じて上記第１の信号を補正するための第１の補正量が格納された第１の補正量記憶手段と、
上記第３の信号に応じて上記第２の信号を補正するための第２の補正量が格納された第２の補正量記憶手段と、
上記撮像手段への露光を行うための露出量を演算する露出量演算手段と、
を具備し、
上記露出量演算手段は、上記第１の信号を用いて露出量を演算する場合には、上記第３の信号に応じて上記第１の補正量を用いて露出を演算し、上記第２の信号を用いて露出量を演算する場合には、上記第３の信号に応じて上記第２の補正量を用いて露出を演算することを特徴とするデジタルカメラ。
【請求項４】
上記光源検出手段は、少なくとも被写体の赤外光若しくは近赤外光の光量検出手段を有することを特徴とする請求項１乃至３の何れか１に記載のデジタルカメラ。
【請求項５】
上記光源検出手段は、撮影レンズを通過した被写体光を使用しない外光式の光検出手段で構成されることを特徴とする請求項１乃至３の何れか１に記載のデジタルカメラ。
【請求項６】
上記補正量演算手段が上記露出量を演算する際の補正を、上記光源検出手段の出力結果に応じて連続的に変化する補正量に基づいて行うことを特徴とする請求項１に記載のデジタルカメラ。
【請求項７】
上記露出量記憶手段に格納された補正量は、光源検出手段の出力結果に応じて連続的に変化することを特徴とする請求項２に記載のデジタルカメラ。
【請求項８】
上記第１の補正量記憶手段に格納された第１の補正量及び上記第２の補正量記憶手段に格納された第２の補正量は、光源検出手段の出力結果に応じて連続的に変化することを特徴とする請求項３に記載のデジタルカメラ。
【請求項９】
上記光検出手段は、少なくとも視感度に近い分光特性を有し、
上記撮像手段は少なくともＲＧＢの３つの出力を基に画像を構成することを特徴とする請求項１若しくは２に記載のデジタルカメラ。
【請求項１０】
上記第１及び第２の光検出手段は、少なくとも視感度に近い分光特性を有し、
上記撮像手段は少なくともＲＧＢの３つの出力を基に画像を構成することを特徴とする請求項３に記載のデジタルカメラ。
【発明の詳細な説明】
【技術分野】
【０００１】
この発明はデジタルカメラに関し、より詳細には、撮像素子とは異なる測光センサを有して露出を決定するデジタルカメラに関するものである。
【背景技術】
【０００２】
従来より、撮像素子とは別に測光素子を用いて露出を決定するデジタルカメラが知られている。そして、測光センサを有するデジタルカメラに於いて、被写界の色温度を検出してその結果に応じてカメラの露出を補正する技術が知られている（例えば、特許文献１参照）。
【特許文献１】特公平７−３８００６０号公報  この特許文献１に記載の技術は、外部測光素子で露出を決定するシステムに於いて、撮像素子と、この撮像素子とは異なる外部測光素子との分光感度の差によって、被写体条件により、外部測光素子より決定した適正露光量が撮像素子の適正露光量と相違することを対策したものである。
【発明の開示】
【発明が解決しようとする課題】
【０００３】
しかしながら、上述した特許文献１に記載の技術では、以下のような課題を有していた。
【０００４】
すなわち、色温度に応じて補正しているため、色温度は同じであるが外部測光素子より決定した適正露光量が撮像素子の適正露光量と相違するような被写体条件、例えば、太陽光、ブルーフラッドランプ、蛍光灯等の光源下の被写体の場合、何れかの光源に補正量を合わせると、他の光源は露出不足または露出オーバとなる。
【０００５】
これは、上記適正露光量の相違は、外部測光素子と撮像素子の分光感度の差により生じるが、それらは必ずしも色温度と関係しないためである。例えば、一般に測光素子として使用されるセンサは、若干の近赤外の分光感度を有しており、色温度が同じであっても近赤外光の覆い光源下の被写体に於いては、外部測光素子の方が撮像素子に比べて明るく感じてしまい、測光素子に合わせて露出すると、露光量がアンダーになるという現象が発生する。
【０００６】
また、色温度の検出を精度良く行うためには、専用の色センサが必要であり、そのためにコストが増加する上、制御が複雑になるものであった。
【０００７】
したがってこの発明は、上記課題に鑑みてなされたものであり、撮像素子とは異なる測光センサで露出を決定するデジタルカメラに於いて、色温度は同じであるが補正量が異なるような被写体条件に対しても、適正な露光量を算出することができ、且つ制御が複雑にならず安価なデジタルカメラを提供することを目的とする。
【課題を解決するための手段】
【０００８】
すなわち、請求項１に記載の発明は、被写界を撮像する撮像手段と、上記撮像手段によって撮像された上記被写界の画像を表す映像信号を形成する画像形成手段と、上記被写界からの入射光を受け、該入射光の光量に応じた第１の信号を出力する上記撮像手段とは異なる光検出手段と、上記被写界の光源を検出し、該光源に応じた第２の信号を出力する光源検出手段と、上記撮像手段への露光を行うための露出量を演算する露出量演算手段と、を具備し、上記露出量演算手段は、上記第１の信号を上記第２の信号に応じて補正して露出量を演算することを特徴とする。
【０００９】
このような構成とすることにより、光源検出結果を基に露出量を補正するので、色温度は同じであるが補正量が異なるような光源に対しても、適正な露光量を算出することができる。
【００１０】
請求項２に記載の発明は、被写界を撮像する撮像手段と、上記撮像手段によって撮像された上記被写界の画像を表す映像信号を形成する画像形成手段と、上記被写界からの入射光を受け、該入射光の光量に応じた第１の信号を出力する上記撮像手段とは異なる光検出手段と、上記被写界の光源を検出し、該光源に応じた第２の信号を出力する光源検出手段と、上記第２の信号に応じた補正量が格納された補正量記憶手段と、上記撮像手段への露光を行うための露出量を演算する露出量演算手段と、を具備し、上記露出量演算手段は、上記第２の信号の出力に応じて、上記補正量記憶手段から補正量を算出し、上記第１の信号と上記補正量とに基づいて露出量を演算することを特徴とする。
【００１１】
このような構成とすることにより、光源検出結果とそれに応じた補正値を基に露出量を補正するので、色温度は同じであるが補正量が異なるような光源に対しても、適正な露光量を算出することができる。
【００１２】
請求項３に記載の発明は、被写界を撮像する撮像手段と、上記撮像手段によって撮像された上記被写界の画像を表す映像信号を形成する画像形成手段と、上記被写界からの入射光を受け、該入射光の光量に応じた第１の信号を出力する上記撮像手段とは異なる第１の光検出手段と、上記被写界からの入射光を受け、該入射光の光量に応じた第２の信号を出力する上記撮像手段とは異なる第２の光検出手段と、上記被写界の光源を検出し、該光源に応じた第３の信号を出力する光源検出手段と、上記第３の信号に応じて上記第１の信号を補正するための第１の補正量が格納された第１の補正量記憶手段と、上記第３の信号に応じて上記第２の信号を補正するための第２の補正量が格納された第２の補正量記憶手段と、上記撮像手段への露光を行うための露出量を演算する露出量演算手段と、を具備し、上記露出量演算手段は、上記第１の信号を用いて露出量を演算する場合には、上記第３の信号に応じて上記第１の補正量を用いて露出を演算し、上記第２の信号を用いて露出量を演算する場合には、上記第３の信号に応じて上記第２の補正量を用いて露出を演算することを特徴とする。
【００１３】
このような構成とすることにより、測光モードが異なる場合でも、色温度は同じであるが補正量が異なるような光源に対して適正な露光量を算出することができる。
【００１４】
請求項４に記載の発明は、請求項１乃至３の何れか１に記載の発明に於いて、上記光源検出手段は、少なくとも被写体の赤外光若しくは近赤外光の光量検出手段を有することを特徴とする。
【００１５】
このような構成とすることにより、赤外光と可視光の差から光源を検出して正確な補正量により適正な露光量を算出することができる。
【００１６】
請求項５に記載の発明は、請求項１乃至３の何れか１に記載の発明に於いて、上記光源検出手段は、撮影レンズを通過した被写体光を使用しない外光式の光検出手段で構成されることを特徴とする。
【００１７】
このような構成とすることにより、被写体の色に影響を受けず、安定性のある、適正な露光量を算出することができる。
【００１８】
請求項６に記載の発明は、請求項１に記載の発明に於いて、上記補正量演算手段が上記露出量を演算する際の補正を、上記光源検出手段の出力結果に応じて連続的に変化する補正量に基づいて行うことを特徴とする。
【００１９】
このような構成とすることにより、光源が複数種類の混合光であっても、適正な露光量を算出することができる。
【００２０】
請求項７に記載の発明は、請求項２に記載の発明に於いて、上記露出量記憶手段に格納された補正量は、光源検出手段の出力結果に応じて連続的に変化することを特徴とする。
【００２１】
このような構成とすることにより、光源が複数種類の混合光であっても、適正な露光量を算出することができる。
【００２２】
請求項８に記載の発明は、請求項３に記載の発明に於いて、上記第１の補正量記憶手段に格納された第１の補正量及び上記第２の補正量記憶手段に格納された第２の補正量は、光源検出手段の出力結果に応じて連続的に変化することを特徴とする。
【００２３】
このような構成とすることにより、光源が複数種類の混合光であっても、適正な露光量を算出することができる。
【００２４】
請求項９に記載の発明は、請求項１若しくは２に記載の発明に於いて、上記光検出手段は、少なくとも視感度に近い分光特性を有し、上記撮像手段は少なくともＲＧＢの３つの出力を基に画像を構成することを特徴とする。
【００２５】
このような構成とすることにより、異なる感度の特性を有するものであっても、色温度は同じであるが補正量が異なるような光源に対して適正な露光量を算出することができる。
【００２６】
請求項１０に記載の発明は、請求項３に記載の発明に於いて、上記第１及び第２の光検出手段は、少なくとも視感度に近い分光特性を有し、上記撮像手段は少なくともＲＧＢの３つの出力を基に画像を構成することを特徴とする。
【００２７】
このような構成とすることにより、異なる感度の特性を有するものであっても、色温度は同じであるが補正量が異なるような光源に対して適正な露光量を算出することができる。
【発明の効果】
【００２８】
この発明によれば、撮像素子とは異なる測光センサで露出を決定するデジタルカメラに於いて、色温度は同じであるが補正量が異なるような光源に対しても、適正な露光量を算出することができ、且つ制御が複雑にならず安価なデジタルカメラを提供することが可能となる。
【発明を実施するための最良の形態】
【００２９】
以下、図面を参照して、この発明の実施形態を説明する。
【００３０】
（第１の実施形態）
図１は、本発明の第１の実施形態に係るデジタルカメラの一部を切断してその内部構成を概略的に示す斜視図である。
【００３１】
図１に於いて、本実施形態のデジタルカメラ１０は、それぞれが別体に構成されるカメラ本体１１と、レンズ鏡筒１２とから成り、これらカメラ本体１１とレンズ鏡筒１２とは、互いに着脱自在に構成されてなるものである。
【００３２】
上記レンズ鏡筒１２は、複数の撮影レンズやその駆動機構等から成る撮影光学系１２ａを内部に保持して構成されている。この撮影光学系１２ａは、被写体からの光束を透過させることで当該被写体光束により形成される被写体の像を、所定の位置（後述する撮像素子４０の光電変換面上）に結像せしめるように、例えば、複数の光学レンズ等によって構成されるものである。そして、このレンズ鏡筒１２は、カメラ本体１１の前面に向けて突出するように配設されている。
【００３３】
尚、このレンズ鏡筒１２については、従来のカメラ等に於いて一般的に利用されているものと同様のものが適用される。したがって、その詳細な構成についての説明は省略する。
【００３４】
カメラ本体１１は、内部に各種の構成部材等を備えて構成され、且つ、撮影光学系１２ａを保持するレンズ鏡筒１２を着脱自在となるように配設するための連結部材である撮影光学系装着部（撮影レンズ装着部とも称する）をその前面に備えて構成されてなる、いわゆる一眼レフレックス方式のカメラである。
【００３５】
つまり、カメラ本体１１の前面側の略中央部には、被写体光束を当該カメラ本体１１の内部へと導き得る所定の口径を有する露光用開口が形成されている。この露光用開口の周縁部には、撮影光学系装着部（図示せず）が形成されている。
【００３６】
カメラ本体１１の外面側には、その前面に上述の撮影光学系装着部が配設されているほか、上面部や背面部等の所定の位置にカメラ本体１１を動作させるための各種の操作部材、例えば撮影動作を開始せしめるための指示信号等を発生させるためのレリーズ釦１３と、カメラ本体１１のグリップ部とレンズ鏡筒１２の間で内部に後述する光源センサ５５が配設された拡散板１４等が配設されている。上記拡散板１４は、カメラ本体１１の撮影光学系接続部の側に設けられており、撮影する被写体及びその周辺の光が入射する構成となっている。
【００３７】
尚、上述した操作部材については、この発明とは直接関連しない部分であるので、図面の煩雑化を避けるために、レリーズ釦１３以外の操作部材については、その図示及び説明を省略する。
【００３８】
カメラ本体１１の内部には、図１に示されるように、各種の構成部材、例えば、ファインダ装置１６と、シャッタ部１７と、撮像ユニット１８と、主回路基板１９を始めとした複数の回路基板（図１では主回路基板１９のみが図示されている）とが、それぞれ所定の位置に配設されている。
【００３９】
上記ファインダ装置１６は、上記撮影光学系１２ａによって形成される所望の被写体像を撮像素子４０（図２参照）の光電変換面上とは異なる所定の位置に形成させるべく設けられたもので、いわゆる観察光学系を構成する。
【００４０】
ファインダ装置１６は、クイックリターンミラー１６ａと、ペンタプリズム１６ｂと、接眼レンズ１６ｃとから構成されている。
【００４１】
上記クイックリターンミラー１６ａは、撮影光学系１２ａを透過した被写体光束の光軸を折り曲げて観察光学系の側へと導き得るようにしたものである。ペンタプリズム１６ｂは、上記クイックリターンミラー１６ａから出射する光束を受けて正立正像を形成する。また、接眼レンズ１６ｃは、上記ペンタプリズム１６ｂにより形成される像を拡大して観察するのに最適な形態の像を結像させるためのものである。
【００４２】
また、クイックリターンミラー１６ａは、撮影光学系１２ａの光軸から退避する露光退避位置と当該光軸上の所定の位置との間で移動自在に構成され、通常状態に於いては撮影光学系１２ａの光軸上に於いて当該光軸に対して所定の角度、例えば、角度４５度を有して配置されている。これにより、撮影光学系１２ａを透過した被写体光束は、当該デジタルカメラ１０が通常状態にある場合には、クイックリターンミラー１６ａによってその光軸が折り曲げられて、当該クイックリターンミラー１６ａの上方に配置されるペンタプリズム１６ｂの側へと反射されるようになっている。すなわち、これがクイックリターンミラー（可動ミラー）１６ａのファインダ観察位置である。
【００４３】
一方、本デジタルカメラ１０が撮影動作の実行中に於いて、その実際の露光動作中には、当該クイックリターンミラー１６ａは、撮影光学系１２ａの光軸から退避する所定の位置に移動するようになっている。これによって、被写体光束は、撮像素子４０の側へと導かれ、その光電変換面を照射するようになっている。
【００４４】
上記シャッタ部１７は、撮像素子４０の光電変換面への被写体光束の照射時間等を制御するもので、シャッタ機構等を備えて構成されている。
【００４５】
撮像ユニット１８は、上記シャッタ部１７と、このシャッタ部１７を含み撮影光学系１２ａを透過した被写体光束に基づいて形成される被写体像に対応した画像信号を得る撮像素子４０を含んだアッセンブリで構成される。
【００４６】
また、上記主回路基板１９は、撮像素子４０により取得した画像信号に対して各種の信号処理を施す画像信号処理回路（図示せず）答の電気回路を構成する各種の電気部材が実装されている。更に、カメラ本体１１の上部には、図示されないストロボ接点が設けられており、外部ストロボを取付け可能であると共に、外部ストロボと通信して所定の光量、タイミングでストロボを発光可能な構成となっている。
【００４７】
上記シャッタ部１７は、例えばフォーカルプレーン方式のシャッタ機構や、このシャッタ機構の動作を制御する駆動回路等、従来のカメラ等に於いて一般的に利用されているものと同様のものが適用される。したがって、その詳細な構成についての説明は省略する。
【００４８】
図２は、本デジタルカメラの主に電気的な構成を概略的に示すブロック構成図である。
【００４９】
図２に於いて、このデジタルカメラは、上述したように、カメラ本体１１と、交換レンズとしてのレンズ鏡筒１２とから主に構成されており、カメラ本体１１の前面に対して、所望のレンズ鏡筒１２が着脱自在に設定されている。
【００５０】
上記レンズ鏡筒１２の制御は、レンズ制御用マイクロコンピュータ（以下、Ｌμｃｏｍと称する）２５によって行われる。一方、カメラ本体１１の制御は、露出量演算手段であるボディ制御用マイクロコンピュータ（以下、Ｂμｃｏｍと称する）５０によって行われる。
【００５１】
尚、これらＬμｃｏｍ２５とＢμｃｏｍ５０とは、合体時に於いて通信コネクタ６３を介して、通信可能に電気的接続がなされる。そしてカメラシステムとして、Ｌμｃｏｍ２５がＢμｃｏｍ５０に従属的に協働しながら稼動するようになっている。
【００５２】
レンズ鏡筒１２内には、撮影レンズ２１と絞り２２が設けられている。撮影レンズ２１は、レンズ駆動機構２３内に存在する図示されないＤＣモータによって駆動される。また、絞り２２は、絞り駆動機構２４内に存在する図示されないステッピングモータによって駆動される。Ｌμｃｏｍ２５は、Ｂμｃｏｍ５０の指令に従って、これら各モータを制御する。
【００５３】
一方、カメラ本体１１内には、次の構成部材が図示のように配設されている。
【００５４】
例えば、光学系としての一眼レフ方式の構成部材（クイックリターンミラー１６ａ、ペンタプリズム１６ｂ、接眼レンズ１６ｃ、フォーカシングスクリーン３１、サブミラー３５）と、光軸上のフォーカルプレーン式のシャッタ部１７と、上記サブミラー３５からの反射光束を受けて自動測距するためのＡＦセンサユニット３６が設けられている。
【００５５】
また、カメラ本体内には、上記ペンタプリズム１６ｂからの光束に基づき測光センサ（光検出手段）３２を介して測光処理する測光回路３３と、上記ＡＦセンサユニット３６を駆動制御するためのＡＦセンサ駆動回路３７と、上記クイックリターンミラー１６ａを駆動制御するミラー駆動機構３８と、上記シャッタ部１７の先幕と後幕を駆動するバネをチャージするシャッタチャージ機構４７と、それら先幕と後幕の動きを制御するシャッタ制御回路４８とが設けられている。
【００５６】
また、光軸上には、上記光学系を通過した被写体像を光電変換するための撮像手段であるＣＣＤユニット（撮像素子）４０が、光電変換素子として設けられている。
【００５７】
このデジタルカメラには、また、ＣＣＤユニット４０に接続されたＣＣＤインターフェイス回路４１と、液晶モニタ４３と、記憶領域として設けられたＳＤＲＡＭ４４と、ＦｌａｓｈＲＯＭ４５及び記録メディア４６等を利用して画像処理する画像処理コントローラ（画像形成手段）４２とが設けられ、電子撮像機能と共に電子記録表示機能を提供できるように構成されている。
【００５８】
その他の記憶領域としては、カメラ制御に必要な所定の制御パラメータを記憶するもので、補正量記憶手段として、例えば、ＥＥＰＲＯＭから成る不揮発性メモリ４９が、Ｂμｃｏｍ５０からアクセス可能に設けられている。
【００５９】
また、上記測光センサ３２は、接眼レンズ１６ｃの上部の、フォーカシングスクリーン３１をやぶにらむ位置に配設されている。この測光センサ３２は、撮影光学系２１、クイックリターンミラー１６ａ、フォーカシングスクリーン３１、ペンタプリズム１６ｂを介して得られる被写体光を、測光用のレンズで該センサに集光して明るさを測定するものである。
【００６０】
この測光センサ３２はシリコンフォトダイオードで構成されており、センサと測光レンズ（図示せず）の間には赤外カットフィルタが挿入されている。これらの光学系と合わせた測光センサ３２の分光感度は、ほぼ視感度に等しいものとなっている。
【００６１】
更に、シャッタ部１７をやぶにらむ位置（光路よりクイックリターンミラー１６ａが退避した状態でシャッタ幕をカメラ横からやぶにらむ位置）には、白または灰色のシャッタ幕への反射光量を測定するためのストロボ測光センサ５１が配設されている。ストロボ発光するような撮影条件の場合には、絞り２２が絞り込み動作を終了し、クイックリターンミラー１６ａが光路より退避した後、撮影に先立ち、外部ストロボ装置６４をプリ発光させたときの明るさを、このストロボ測光センサ５１で検出し、その出力は、ストロボ光検出回路５２を介してＢμｃｏｍ５０に供給される。
【００６２】
Ｂμｃｏｍ５０は、この出力に応じてストロボ発光量を求め、ストロボ通信回路６１を介して外部ストロボ装置６４に送信し、本撮影時のストロボ発光量とタイミングを制御する。上記ストロボ測光センサ５１もシリコンフォトダイオードで構成されており、ストロボ測光センサ５１と測光レンズ（図示せず）の間には、赤外カットフィルタ（図示せず）が挿入されている。これらの光学系と合わせたストロボ測光センサ５１の分光感度は、ほぼ視感度に等しいものとなっている。
【００６３】
上述した光源センサ５５は、本実施形態では外光式のセンサで構成される光源検出手段であり、レンズ鏡筒１２を通過していない被写体光を拡散板１４を介して検出する。この光源センサ５５は、可視光センサ６９及び赤外光センサ６８から構成されており、拡散板１４を介して被写体光が入射される構成のため、センサの視野は同一であり、広い画角を有している。
【００６４】
可視光センサ６９は、正しくは可視及び近赤外の分光感度を有しているが、可視光線差６９と拡散板１４との間には、赤外カットフィルタ（図示せず）が挿入されており、最終的に可視光のみを受光するような構成となっている。光源センサ５５は、各分光感度のセンサに応じた光電流を圧縮、電流電圧変換して出力する。光源検出センサの出力は光源検出回路５４でＡ／Ｄ変換され、各センサの分光感度に応じた被写体全域の明るさが検出可能な構成となっている。
【００６５】
また、Ｂμｃｏｍ５０には、当該カメラの動作状態を表示出力によってユーザへ告知するための動作表示用ＬＣＤ５７と、カメラ操作スイッチ（ＳＷ）５８と、ストロボ通信回路６１が設けられている。上記カメラ操作スイッチ５８は、例えばレリーズスイッチ、モード変更スイッチ、測光モード変更スイッチ及びパワースイッチ等、当該カメラを操作するために必要な操作釦を含むスイッチ群で構成される。
【００６６】
上記ストロボ通信回路６１は、上述したストロボ測光センサ５１で得られＢμｃｏｍ５０で算出したストロボの発光量に基づいた信号を受ける。そして、通信コネクタ６２を経てストロボ装置６４に信号を出力して、ストロボ装置６４が所定光量で発光する。
【００６７】
更に、カメラ本体１１内には、電源としての電池６０と、この電源の電圧を当該デジタルカメラを構成する各回路ユニットが必要とする電圧に変換して供給するための電源回路５９とが設けられている。
【００６８】
上述したように構成されたデジタルカメラでは、各部が次のように稼動する。
【００６９】
画像処理コントローラ４２により、Ｂμｃｏｍ５０の指令に従って、ＣＣＤインターフェイス回路４１が制御され、ＣＣＤユニット４０から画像データが取り込まれる。この画像データは、画像処理コントローラ４２でビデオ信号に変換され、液晶モニタ４３にて出力表示される。ユーザは、この液晶モニタ４３の表示画像から、撮影された画像イメージが確認可能である。
【００７０】
ＳＤＲＡＭ４４は画像データの一時的保管用メモリであり、画像データが変換される際のワークエリア等に使用される。また、この画像データは、ＪＰＥＧデータに変換された後に、記録メディア５０に保管されるように設定されている。
【００７１】
ミラー駆動機構３８は、クイックリターンミラー１６ａのＵＰ（アップ）位置とＤＯＷＮ（ダウン）位置へと駆動するための機構である。上記クイックリターンミラー１６ａがＤＯＷＮ位置にある時、撮影レンズ２１からの光束は、ＡＦセンサユニット３６側とペンタプリズム１６ｂ側へと分割されて導かれる。
【００７２】
ＡＦセンサユニット３６内のＡＦセンサからの出力は、ＡＦセンサ駆動回路３７を介してＢμｃｏｍ５０へ送信されて周知の測距処理が行われる。
【００７３】
また、ペンタプリズム１６ｂに隣接する接眼レンズ１６ｃからは、ユーザが被写体を目視できる。一方、このペンタプリズム１６ｂを通過した光束の一部は、測光センサ３２へ導かれ、ここで検知された光量に基づいて周知の測光処理が行われる。
【００７４】
図３は、測光センサ３２の測光パターンとスポット測光領域の例を示した図である。
【００７５】
測光センサ３２のパターンは、図３に示されるように、５分割されており、分割測光パターン（１）３２1 〜（５）３２5 のような被写体部分を測光する。本実施形態では、カメラは平均測光モード、評価測光モード、スポット（ＳＰＯＴ）測光モードの３つの測光モードを有する。これら３つの測光モードによって、被写体輝度の測光の方法や測光する部分が相違する。
【００７６】
上記平均測光モードは、上記５分割の測光センサで測光されるもので、分割測光パターン（１）３２1 〜（５）３２5 の出力が平均された値が測光値とされる。評価測光モードは、上記５分割の測光センサで測光されるもので、分割測光パターン（１）３２1 〜（５）３２5 の出力を独自のアルゴリズムで重み付けした値が測光値とされる。更に、スポット測光モードは、本実施形態ではＡＦセンサの輝度出力を利用して測光するもので、撮影領域（画面）３２Ａに対するスポット測光領域３２Ｂの視野は、図示十字形状のスポット（ＳＰＯＴ）測光パターン部に相当し、これは、ＡＦセンサユニット３６内のＡＦセンサの視野に相当する。
【００７７】
上述した測光モードの何れを使用するかは、撮影者がカメラ操作部材の操作を行うことにより決定する。測光センサ３２は、各測光パターンに応じた光電流を圧縮電流電圧変換し、出力する。測光センサ３２の出力は、測光回路３３でＡ／Ｄ変換され、各パターンに応じた被写体輝度が検出可能になる。ＡＦセンサユニット３６内のＡＦセンサは、スポット測光パターンに応じた光電流を積分し、所定電圧に達する時間を測定することにより、スポット測光パターンに応じた被写体輝度が検出可能になる。
【００７８】
上述したスポット測光、或いはファインダ測光による測光結果に基づいて、露出値（シヤッタ速度、絞り、ＩＳＯ感度）が決定される。
【００７９】
このデジタルカメラは、複数の撮影モード（Ｐ；プログラムモード、Ａ；絞り優先モード、Ｓ；シャッタ速度優先モード、Ｍ；マニュアルモード）を有しており、撮影者により選択された撮影モードに応じて、露出値が演算されて決定される。そして、決定された露出値に基いて、シャッタ速度制御、絞り制御、感度制御が行われる。
【００８０】
また、ここで、被写体輝度が暗く、外部ストロボ装置６４が接続されている状態で発光可能な場合には、Ｂμｃｏｍ５０がストロボ発光必要と判断し、ストロボ発光制御が行われる。
【００８１】
上記シャッタ速度は、シャッタ部１７のフォーカルプレーンシャッタにより生成される。ストロボ装置６４の閃光発光の同調秒時は、１／１８０秒である。
【００８２】
絞り２２はレンズ鏡筒１２内にあり、Ｂμｃｏｍ５０とＬμｃｏｍ２５間の通信によって、絞り駆動がレンズに指示されることにより実現される。
【００８３】
感度制御は、ＣＣＤユニット４０の出力データにアナログゲインをかけることにより実現されるもので、インターフェイス回路４１により行われる。
【００８４】
また、ストロボ装置６４の発光量はストロボ測光センサ５１により行われる。
【００８５】
上述したように、ストロボ測光センサ５１はシャッタ部１７をやぶにらむ位置に、白または灰色のシャッタ幕の反射光を測定するように配設されている。このストロボ測光センサ５１は、クイックリターンミラー１６ａがアップされた後に、ストロボ装置６４のプリ発光により得られるシャッタ幕で反射された光について測定する。Ｂμｃｏｍ５０は、測定光量から発光量を算出し、ストロボ通信回路６１を介してストロボ装置６２に通信する。これにより、撮影時のストロボ装置６４の本発光の光量に反映される。
【００８６】
次に、図４乃至図６を参照して、光源とＣＣＤユニット（撮像素子）及び測光センサ３２、スポット測光センサ（ＡＦセンサ）の分光特性について説明する。
【００８７】
図４は、光源による分光特性を示した図、図５は撮像素子と測光素子の分光感度の相違を示した特性図、図６は撮像素子の分光感度の特性図である。
【００８８】
図４に於いて、図中ａは太陽光の分光特性曲線であり、同ｂは蛍光灯の分光特性曲線、同ｃはブルーフラッドランプの分光特性曲線、同ｄはタングステンの分光特性曲線を、それぞれ示している。
【００８９】
図５に於いては、図中ｅは撮像素子の緑色（Ｇ）成分の感度の特性曲線であり、同ｆは測光センサの感度の特性曲線であり、同ｇはＡＦセンサ（スポット）の感度の特性曲線である。
【００９０】
図６に於いては、図中ｈは撮像素子の赤色（Ｒ）成分の感度の特性曲線であり、同ｉは撮像素子の青色（Ｂ）成分の感度の特性曲線であり、同ｊは撮像素子の緑色（Ｇ）成分の感度の特性曲線である。
【００９１】
例えば、可視域の特性が類似で色温度が近い太陽光とブルーフラッドランプは、近赤外域で特性が大きく異なっているのが解る（図４参照）。
【００９２】
また、図５に示されるように、測光センサは視感度に近い特性であるのに対し、ＡＦセンサは赤外感度が高く、撮像素子は赤及び赤外、青及び紫外感度が低い。図６に示されるように、撮像素子はＲＧＢを合わせると視感度に近い特性になる。しかしながら、実際には緑色成分を基準にして、赤色及び青色の成分のバランスを変えている。したがって、撮像素子で撮像されるのは緑色成分が基準になるため、図５に示されるように、露出の基準となる分光感度は、赤〜赤外、青〜紫外の感度が低いグリーン感度となる。
【００９３】
このように、撮像素子の分光感度は視感度に近いが、露出を決めるような感度は緑色成分の感度になる。すると、緑色成分の感度で適正露出レベルが決定されるので、測光センサやＡＦセンサ等に対して赤外に近い側で特性が異ってしまう。すなわち、赤外に近い側が光源によって強度が異なる（図４参照）。光源の場合は、特にその影響を受けて露出がずれやすい。例えば、タングステンやブルーフラッドランプのように赤外側で強度の大きい光源の場合は、測光素子で決定される露出値では露出不足になる。逆に、蛍光灯等の赤外側で強度の小さい光源の場合は、同様の露出決定では露出オーバになる。
【００９４】
このように、光源の種類や撮像素子、測光素子の別により、それぞれ有している分光特性が異なることにより、各測光センサ（測光センサ３２、ＡＦセンサユニット３６）で決定された露出と撮像素子の適正露出が異なることがわかる。
【００９５】
図７は、上述した光源による赤外測光と可視測光の差（ΔＢＶ）を、タングステンランプを基準として規格化して表した図であり、本実施形態に於ける光源判定の方法を示した図である。る。
【００９６】
図７に於いては、基準光源がタングステンランプとされているので、輝度差ΔＢＶは、タングステンランプで０．０、太陽光で−１．１、白色蛍光灯で−７．１、３波昼白蛍光灯で−７．５、昼白蛍光灯で−６．２、３波昼光蛍光灯で−７．５、そしてブルーフラッドランプで＋１．３である。ここで、“タングステンランプで規格化”とは、各光源光をカメラに照射した場合の輝度差からタングステンランプをカメラに照射した場合の輝度差を引いた値である。
【００９７】
ここで、例えば、輝度差−３及び＋０．５の位置に閾値を設けた場合、上記輝度差ΔＢＶの値が−３を越えると蛍光灯であると判定し、＋０．５を越えるとブルーフラッドランプと判定することができる。
【００９８】
図８は光源センサ５５の配置について示した図であり、図９はこの光源センサ５５の構成を示した平面図である。
【００９９】
光源センサ５５は、カメラ本体１１のカメラ外装６５より内側で、拡散板１４の後方に配置されている。そして、この光源センサ５５は、クリアモールド６６上に、赤外センサ６８及び可視赤外センサ（ＳＰＤ）６９と、これらのセンサを制御する制御ＩＣ７２が搭載された構成となっている。更に、可視赤外光センサ６８の前面部、すなわち拡散板１４と対向する側には、赤外カットフィルタ７０が配置されている。この赤外カットフィルタ７０により、赤外光がカットされるので、可視赤外光センサ６９は可視光に近い分光感度を有した可視光センサとなる。
【０１００】
本実施形態では、可視測光を行うために、赤外可視域に分光感度を有するセンサと赤外カットフィルタとを組み合わせている。このような構成の場合、赤外カットフィルタの位置により、微少ではあるが赤外カットされずにセンサに入射する光が発生する。そして、カメラの組み立て誤差等により、この量が異なるため、各光源の光をカメラに照射した場合の可視光と赤外光の輝度差の絶対量は相違する。
【０１０１】
しかし、基準の光源（本実施形態ではタングステン光）を基に輝度差を規格化した値は、カメラ個体差によらず一定となる。よって、図７に示される原理に基づいて、安定して光源を判定することができる。本実施の形態では、赤外センサはほぼ６５０ｎｍから１２０ｎｍ程度の近赤外を検出する構成となっている。
【０１０２】
次に、図１０乃至図１２のフローチャートを参照して、この発明の第１の実施形態に従ったデジタルカメラの動作について説明する。
【０１０３】
図１０は、露出演算の動作を説明するフローチャートである。
【０１０４】
この露出演算のシーケンスに入ると、先ず、ステップＳ１にて測光モードが読み出される。ここで、測光モードは、上述したように、平均測光モード、評価測光モード、スポット（ＳＰＯＴ）測光モードの３つの測光モードを有しているので、撮影者により何れか選択された測光モードが読み出される。
【０１０５】
次いで、ステップＳ２にて、上記ステップＳ１にて読出された測光モードに従ってサブルーチン「測光」が実行される。このサブルーチン「測光」の詳細については後述する。ステップＳ３では、設定感度が読み出される。
【０１０６】
そして、ステップＳ４にて露出量が算出され、更にステップＳ５にて露出モードが読み出される。そして、ステップＳ６にて、上記ステップＳ５で読出された露出モードに従って、制御絞り値、シャッタ秒時が算出される。
【０１０７】
次に、図１１のフローチャートを参照して、図１０のフローチャートに於けるステップＳ２のサブルーチン「測光」の詳細な動作について説明する。
【０１０８】
このサブルーチン「測光」に入ると、先ずステップＳ１１にてサブルーチン「光源検出」が実行される。このサブルーチン「光源検出」の詳細な動作については後述する。
【０１０９】
次に、ステップＳ１２に於いて、測光モードがスポット測光モードであるか否かが判定される。ここで、スポット測光モードである場合は後述するステップＳ２４へ移行し、それ以外の測光モードである場合はステップＳ１３へ移行する。
【０１１０】
ステップＳ１３では、測光センサ３２を用いたファインダ測光が行われてセンサデータが読み出される。そして、ステップＳ１４では、ファインダ測光センサデータより被写体の輝度値（ＢＶ値）が算出される。尚、ここで算出されたＢＶ値は、Ｂμｃｏｍ５０内に格納される。
【０１１１】
以下、補正値の算出が行われるが、先ずステップＳ１５にて、補正量が太陽光の値に設定される。次いで、上記ステップＳ１１のサブルーチン「光源検出」により得られた結果から、光源の種類が判定される。
【０１１２】
すなわち、ステップＳ１６では、検出された光源が蛍光灯であるか否かが判定される。ここで、光源が蛍光灯である場合はステップＳ１９へ移行し、そうでない場合はステップＳ１７へ移行して、光源がタングステン光であるか否かが判定される。ここで、光源がタングステン光である場合はステップＳ２０へ移行し、そうでない場合はステップＳ１８へ移行する。
【０１１３】
そして、ステップＳ１８では、光源がブルーフラッドランプであるか否かが判定される。ここで、光源がブルーフラッドランプである場合はステップＳ２１へ移行し、そうでない場合はステップＳ２２へ移行する。
【０１１４】
上記ステップＳ１９では、補正値が蛍光灯用の値に設定された後、ステップＳ２２へ移行する。同様に、ステップＳ２０では補正値がタングステン光用の値に設定された後、ステップＳ２２へ移行し、ステップＳ２１では補正値がブルーフラッドランプ用の値に設定された後、ステップＳ２２へ移行する。
【０１１５】
ステップＳ２２では、ファインダ測光輝度値が上記ステップＳ１５、Ｓ１９〜Ｓ２１で得られた補正値により補正され、補正後の輝度値がＢμｃｏｍ５０内に格納される。
【０１１６】
一方、ステップＳ２４では、スポット測光が行われてセンサデータが読み出される。そして、ステップＳ２５では、スポット測光センサデータより被写体の輝度値（ＢＶ値）が算出される。尚、ここで算出されたＢＶ値は、Ｂμｃｏｍ５０内に格納される。
【０１１７】
次に、ステップＳ２６にて、補正量が太陽光の値に設定される。次いで、上記ステップＳ１１のサブルーチン「光源検出」により得られた結果から、光源の種類が判定される。
【０１１８】
すなわち、ステップＳ２７では、検出された光源が蛍光灯であるか否かが判定される。ここで、光源が蛍光灯である場合はステップＳ３０へ移行し、そうでない場合はステップＳ２８へ移行して、光源がタングステン光であるか否かが判定される。ここで、光源がタングステン光である場合はステップＳ３１へ移行し、そうでない場合はステップＳ２９へ移行する。
【０１１９】
そして、ステップＳ２９では、光源がブルーフラッドランプであるか否かが判定される。ここで、光源がブルーフラッドランプである場合はステップＳ３２へ移行し、そうでない場合はステップＳ３３へ移行する。
【０１２０】
上記ステップＳ３０では、補正値が蛍光灯用の値に設定された後、ステップＳ３３へ移行する。同様に、ステップＳ３１では補正値がタングステン光用の値に設定された後、ステップＳ３３へ移行し、ステップＳ３２では補正値がブルーフラッドランプ用の値に設定された後、ステップＳ３３へ移行する。
【０１２１】
ステップＳ３３では、ファインダ測光輝度値が上記ステップＳ２６、Ｓ３０〜Ｓ３２で得られた補正値により補正され、補正後の輝度値がＢμｃｏｍ５０内に格納される。
【０１２２】
こうして、ステップＳ２２またはステップＳ３３で輝度値が補正されると、本ルーチンを抜けて、図１０のフローチャートに於けるステップＳ３へ移行する。図１０のフローチャートのステップＳ５では、測光出力値を光源判定に基づいて補正した輝度値（ＢＶ）を用いて露出量を算出しているため、結果として光源判定に応じて露出量が変化することになる。
【０１２３】
尚、上記ステップＳ１５、Ｓ１９〜Ｓ２１で補正されるファインダ測光用の補正値と、上記ステップＳ２６、Ｓ３０〜Ｓ３２で補正されるスポット測光用の補正値は、各光源用で且つファインダ測光、スポット測光用に、それぞれ異なる値が用いられる。
【０１２４】
次に、図１２のフローチャートを参照して、図１１のフローチャートに於けるステップＳ１１のサブルーチン「光源検出」の詳細な動作について説明する。
【０１２５】
本ルーチンに入ると、先ず、ステップＳ４１にて、光源センサ５５の出力が読み出される。次いで、ステップＳ４２にて上記光源センサ５５の出力から、光源の輝度が算出される。更に、ステップＳ４３にて、可視光及び赤外光の輝度値が、それぞれ算出される。
【０１２６】
ステップＳ４４では、可視光（ＢＶ＿ｅｙｅ）と赤外光（ＢＶ＿ｉｒ）の差が、下記式に従って算出される。  
Ｄ＿ＢＶ←ＢＶ＿ｉｒ−ＢＶ＿ｅｙｅ  
Ｄ＿ＢＶ←Ｄ＿ＢＶ−ＤＢＶ＿ＲＥＦ  
ここで、ＤＢＶ＿ＲＥＦは、基準のタングステン光照射時の可視光と赤外光の輝度差であり、カメラ個体に応じて異なる値としてＢμｃｏｍ５０内に調整値として記憶されている。
【０１２７】
このように、タングステン光を基準にして上記算出された差が規格化される。
【０１２８】
次に、ステップＳ４５に於いて、上述した可視光の輝度値が使用可能な値であるか否かが判定される。これは、輝度が明るすぎる場合や暗すぎる場合は、その光源センサの光源検出精度が悪化するため、光源検出の出力があまり信用できないからである。この場合、ステップＳ４５では、可視光の輝度値が−２より小さいか、または８より大きいかが判定される。
【０１２９】
ここで、上記可視光の輝度値が−２より小または８より大であれば、ステップＳ５４へ移行して光源が不明であるとされる。一方、上記輝度値が−２以上で且つ８以下であれば、ステップＳ４６へ移行する。
【０１３０】
ステップＳ４６では、上記ステップＳ４４で算出された輝度差Ｄ＿ＢＶが、蛍光灯の閾値ＢＶ＿ＴＨ＿ｋｅｉと比較される。ここで、上記輝度差Ｄ＿ＢＶの方が蛍光灯の閾値ＢＶ＿ＴＨ＿ｋｅｉよりも小さければステップＳ５０へ移行し、大きければステップＳ４７へ移行する。
【０１３１】
ステップＳ４７では、上記ステップＳ４４で算出された輝度差Ｄ＿ＢＶが、蛍光灯の閾値ＢＶ＿ＴＨ＿ｋｅｉと太陽光の閾値ＢＶ＿ＴＨ＿ｓｕｎの間にあるか否かが判定される。ここで、輝度差Ｄ＿ＢＶが両者の閾値の範囲内にあればステップＳ５１へ移行し、両者の閾値の範囲外であればステップＳ４８へ移行する。
【０１３２】
また、ステップＳ４８では、上記ステップＳ４４で算出された輝度差Ｄ＿ＢＶが、太陽光の閾値ＢＶ＿ＴＨ＿ｓｕｎとタングステン光の閾値ＢＶ＿ＴＨ＿ｆｌの間にあるか否かが判定される。ここで、輝度差Ｄ＿ＢＶが両者の閾値の範囲内にあればステップＳ５２へ移行し、両者の閾値の範囲外であればステップＳ４９へ移行する。
【０１３３】
ステップＳ４９では、上記ステップＳ４４で算出された輝度差Ｄ＿ＢＶと、タングステン光の閾値ＢＶ＿ＴＨ＿ｆｌとが比較される。ここで、上記輝度差Ｄ＿ＢＶの方がタングステン光の閾値ＢＶ＿ＴＨ＿ｆｌよりも大きければステップＳ５３へ移行し、小さければステップＳ５４へ移行する。
【０１３４】
上述した各光源の閾値は、図１３に示されるように、例えば、蛍光灯の閾値ＢＶ＿ＴＨ＿ｋｅｉが−３、太陽光の閾値ＢＶ＿ＴＨ＿ｓｕｎが−０．５、タングステン光の閾値ＢＶ＿ＴＨ＿ｆｌが＋０．５と設定される。
【０１３５】
そして、ステップＳ５０では、光源は蛍光灯であるとみなされる。同様に、ステップＳ５１では光源が太陽光であるとみなされ、ステップＳ５２では光源がタングステン光であるとみなされる。更に、ステップＳ５３では、光源がブルーフラッドランプであるとみなされる。また、ステップＳ５４では、上述したように、光源が不明であるとされる。
【０１３６】
こうして光源が検出されると、本ルーチンを抜けて図１１のフローチャートに於けるステップＳ１２へ移行する。
【０１３７】
このようにして、光源に応じて適切な露光にて撮影を行うことができる。
【０１３８】
（第２の実施形態）
次に、この発明の第２の実施形態を説明する。
【０１３９】
上述した第１の実施形態では、光源の種類を何れか１つに選択する場合を例にしていたが、実際には蛍光灯室内の窓際での撮影等の用に、光源が複数存在するような撮影状況も少なくない。以下に述べる第２の実施形態は、光源が複数種類の混合である場合でも適正な露光量となるような構成となっている。
【０１４０】
尚、この第２の実施形態は、上述した第１の実施の形態とは制御動作が異なるだけであり、カメラの構成及び基本的な動作等については、基本的に図１乃至図９に示されたものと同様であるので、同一の部分には同一の参照番号を付して、その図示及び説明は省略する。
【０１４１】
図１４は、第２の実施形態に於ける、図１０のフローチャートのステップＳ２のサブルーチン「測光」の詳細な動作について説明するフローチャートである。
【０１４２】
このサブルーチン「測光」に入ると、先ずステップＳ６１にてサブルーチン「光源検出」が実行される。このサブルーチン「光源検出」の詳細な動作については後述する。
【０１４３】
次に、ステップＳ６２に於いて、測光モードがスポット測光モードであるか否かが判定される。ここで、スポット測光モードである場合は後述するステップＳ７６へ移行し、それ以外の測光モードである場合はステップＳ６３へ移行する。
【０１４４】
ステップＳ６３では、ファインダ測光が行われてセンサデータが読み出される。そして、ステップＳ６４では、ファインダ測光センサデータより被写体の輝度値（ＢＶ値）が算出される。尚、ここで算出されたＢＶ値は、Ｂμｃｏｍ５０内に格納される。
【０１４５】
以下、補正値の算出が行われるが、先ずステップＳ６５にて、補正量が太陽光の値に設定される。次いで、上記ステップＳ６１のサブルーチン「光源検出」により得られた結果から、光源の種類が判定される。
【０１４６】
すなわち、ステップＳ６６では、検出された光源が蛍光灯であるか否かが判定される。ここで、光源が蛍光灯である場合はステップＳ７０へ移行し、そうでない場合はステップＳ６７へ移行して、光源がタングステン光であるか否かが判定される。ここで、光源がタングステン光である場合はステップＳ７１へ移行し、そうでない場合はステップＳ６８へ移行する。
【０１４７】
そして、ステップＳ６８では、光源がブルーフラッドランプであるか否かが判定される。ここで、光源がブルーフラッドランプである場合はステップＳ７２へ移行し、そうでない場合はステップＳ６９へ移行する。更に、このステップＳ６９では、光源が太陽光であるか否かが判定される。ここで、光源が太陽光である場合はステップＳ７３へ移行し、そうでない場合はステップＳ７４へ移行する。
【０１４８】
上記ステップＳ７０では、蛍光灯用の補正量が算出された後、ステップＳ７４へ移行する。同様に、ステップＳ７１ではタングステン光用の補正量が算出された後ステップＳ７４へ移行し、ステップＳ７２ではブルーフラッドランプ用の補正量が算出された後、ステップＳ７４へ移行する。更に、ステップＳ７３では太陽光用の補正量が算出された後、ステップＳ７４へ移行する。
【０１４９】
ステップＳ７４では、ファインダ測光輝度値が上記ステップＳ６５、Ｓ７０〜Ｓ７３で得られた補正値により補正され、補正後の輝度値がＢμｃｏｍ５０内に格納される。次いで、ステップＳ７５にて、補正値に基づいて露出が行われる。
【０１５０】
一方、ステップＳ７６では、スポット測光が行われてセンサデータが読み出される。そして、ステップＳ７７では、スポット測光センサデータより被写体の輝度値（ＢＶ値）が算出される。尚、ここで算出されたＢＶ値は、Ｂμｃｏｍ５０内に格納される。
【０１５１】
次に、ステップＳ７８にて、補正量が太陽光の値に設定される。次いで、上記ステップＳ１１のサブルーチン「光源検出」により得られた結果から、光源の種類が判定される。
【０１５２】
すなわち、ステップＳ７９では、検出された光源が蛍光灯であるか否かが判定される。ここで、光源が蛍光灯である場合はステップＳ８３へ移行し、そうでない場合はステップＳ８０へ移行して、光源がタングステン光であるか否かが判定される。ここで、光源がタングステン光である場合はステップＳ８４へ移行し、そうでない場合はステップＳ８１へ移行する。
【０１５３】
そして、ステップＳ８１では、光源がブルーフラッドランプであるか否かが判定される。ここで、光源がブルーフラッドランプである場合はステップＳ８５へ移行し、そうでない場合はステップＳ８２へ移行する。更に、このステップＳ８２では、光源が太陽光であるか否かが判定される。ここで、光源が太陽光である場合はステップＳ８６へ移行し、そうでない場合はステップＳ８７へ移行する。
【０１５４】
上記ステップＳ８３では、蛍光灯用の補正量が算出された後、ステップＳ８７へ移行する。同様に、ステップＳ８４ではタングステン光用の補正量が算出された後ステップＳ８７へ移行し、ステップＳ８５ではブルーフラッドランプ用の補正量が算出された後、ステップＳ８７へ移行する。更に、ステップＳ８６では太陽光用の補正量が算出された後、ステップＳ８７へ移行する。
【０１５５】
ステップＳ８７では、スポット測光輝度値が上記ステップＳ７８、Ｓ８３〜Ｓ８６で得られた補正値により補正され、補正後の輝度値がＢμｃｏｍ５０内に格納される。次いで、ステップＳ８８にて、補正値に基づいて露出が行われる。
【０１５６】
こうして、ステップＳ７５またはステップＳ８８で露出が行われると、本ルーチンを抜けて、図１０のフローチャートに於けるステップＳ３へ移行する。
【０１５７】
尚、上記ステップＳ７０〜Ｓ７３で補正されるファインダ測光用の補正量算出と、上記ステップＳ８３〜Ｓ８６で補正されるスポット測光用の補正量算出には、各光源用で且つファインダ測光、スポット測光用に、それぞれ異なる値が用いられる。
【０１５８】
ここで、本第２の実施形態の特徴である補正量の算出について、図１５を参照して説明する。
【０１５９】
本第２の実施形態では、補正量を算出する際に、図１１のフローチャートに於けるステップＳ１１のサブルーチン「光源検出」に於いて求めた光源の混合割合に相当する量（以下、ミックスレベルと記す）を基に、光源の混合割合に応じた補正を行うことが特徴である。
【０１６０】
ある光源、例えば太陽光の場合、同じ太陽光が光源であっても、蛍光灯に近い側とタングステン光に近い側が考えられる。そのため、本実施形態では、その光源が他の何れの光源に近いかを光源のミックスレベルとして表すものとする。
【０１６１】
図１５に於いて、横軸は後述する赤外光と可視光の輝度差を基準光で規格化した値であるＤ＿ＢＶであり、縦軸は補正量を示している。また、０，１００，２００等の数値は、各光源に於けるミックスレベル量の値を示している。
【０１６２】
例えば、太陽光の場合のミックスレベル算出式は、  
ミックスレベル＝（（Ｄ＿ＢＶ−ＢＶ＿ｋｅｉ）  
／（ＢＶ＿ＴＨ＿ｓｕｎ−ＢＶ＿ＴＨ＿ｋｅｉ））  
×２００  
である。
【０１６３】
このミックスレベルは、他の光源との判定閾値の１／２の輝度を１００としている。そして、例えば、太陽光が主光源であってタングステン光に近いと１００より大きく、蛍光灯に近いと１００より小さい値となる。
【０１６４】
つまり、太陽光の基準値であるＢＶ＿ｓｕｎ＿ＲＥＦを１００とすると、タングステンと太陽光の閾値であるＢＶ＿ＴＨ＿ｓｕｎの場合はミックスレベルが２００、太陽光と蛍光灯の閾値であるＢＶ＿ＴＨ＿ｋｅｉのミックスレベルは０となる。そして、これらの間は、リニアに変化する値となる。つまり、ミックスレベルが５０であれば、主光源は太陽光であるが蛍光灯の光が少し混合されたことを表している。
【０１６５】
こうして得られたミックスレベルに基づいて、各光源の補正量が求められる。
【０１６６】
例えば、太陽光のミックスレベルが１００の場合は、ＢＶ＿ＨＯＳ＿ＦＩＮＤＥＲ＿ｓｕｎの値が補正量である。また、蛍光灯のミックスレベルが１００の場合は、ＢＶ＿ＨＯＳ＿ＦＩＮＤＥＲ＿ｋｅｉの値が補正量である。
【０１６７】
そして、太陽光のミックスレベルが０の場合、すなわち、ＢＶ＿ＴＨ＿ｋｅｉの場合は、（ＢＶ＿ＨＯＳ＿ＦＩＮＤＥＲ＿ＫＥＩ  ＋  ＢＶ＿ＨＯＳ＿ＦＩＮＤＥＲ＿ＳＵＮ）／２の値が補正量となる。更に、上述したように、太陽光のミックスレベルが５０の場合は、ＢＶ＿ＴＨ＿ｋｅｉの補正値と太陽光のミックスレベルが１００の場合の補正値を直線補間した値が補正量となる。
【０１６８】
このように、ステップＳ６５、Ｓ７０〜７３、Ｓ７７、Ｓ８３〜Ｓ８６では、光源毎の補正量を算出するにあたり、直線補間を利用して光源のミックスレベルから補正量を算出するようにしている。但し、ステップＳ６５、Ｓ７７では、それぞれの測光に於ける太陽光の基準補正値ＢＶ＿ｓｕｎ＿ＲＥＦを補正値として採用している。これは、光源が不明な場合に、基準の補正量で補正するためである。
【０１６９】
次に、図１６のフローチャートを参照して、図１４のフローチャートに於けるステップＳ６１のサブルーチン「光源検出」の詳細な動作について説明する。
【０１７０】
本ルーチンに入ると、先ず、ステップＳ９１にて、光源センサ５５の出力が読み出される。次いで、ステップＳ９２にて上記光源センサ５５の出力から、光源の輝度が算出される。更に、ステップＳ９３にて、可視光及び赤外光の輝度値が、それぞれ算出される。
【０１７１】
ステップＳ９４では、可視光（ＢＶ＿ｅｙｅ）と赤外光（ＢＶ＿ｉｒ）の差が算出され、タングステン光を基準にして上記算出された差が規格化される。
【０１７２】
次に、ステップＳ９５に於いて、上述した可視光の輝度値が使用可能な値であるか否かが判定される。これは、輝度が明るすぎる場合や暗すぎる場合は、その光源センサの精度が悪化し、出力値があまり信用できないからである。この場合、ステップＳ９５では、可視光の輝度値が−２より小さいか、または８より大きいかが判定される。
【０１７３】
ここで、上記可視光の輝度値が−２より小または８より大であれば、ステップＳ１０４へ移行して光源が不明であるとされる。一方、上記ステップＳ９５にて、上記輝度値が−２以上で且つ８以下であれば、ステップＳ９６へ移行する。
【０１７４】
ステップＳ９６では、上記ステップＳ９４で算出された輝度差Ｄ＿ＢＶが、蛍光灯の閾値ＢＶ＿ＴＨ＿ｋｅｉと比較される。ここで、上記輝度差Ｄ＿ＢＶの方が蛍光灯の閾値ＢＶ＿ＴＨ＿ｋｅｉよりも小さければステップＳ１００へ移行し、大きければステップＳ９７へ移行する。
【０１７５】
ステップＳ９７では、上記ステップＳ９４で算出された輝度差Ｄ＿ＢＶが、蛍光灯の閾値ＢＶ＿ＴＨ＿ｋｅｉと太陽光の閾値ＢＶ＿ＴＨ＿ｓｕｎの間にあるか否かが判定される。ここで、輝度差Ｄ＿ＢＶが両者の閾値の範囲内にあればステップＳ１０１へ移行し、両者の閾値の範囲外であればステップＳ９８へ移行する。
【０１７６】
また、ステップＳ９８では、上記ステップＳ４４で算出された輝度差Ｄ＿ＢＶが、太陽光の閾値ＢＶ＿ＴＨ＿ｓｕｎとタングステン光の閾値ＢＶ＿ＴＨ＿ｆｌの間にあるか否かが判定される。ここで、輝度差Ｄ＿ＢＶが両者の閾値の範囲内にあればステップＳ１０２へ移行し、両者の閾値の範囲外であればステップＳ９９へ移行する。
【０１７７】
ステップＳ９９では、上記ステップＳ４４で算出された輝度差Ｄ＿ＢＶと、タングステン光の閾値ＢＶ＿ＴＨ＿ｆｌとが比較される。ここで、上記輝度差Ｄ＿ＢＶの方がタングステン光の閾値ＢＶ＿ＴＨ＿ｆｌよりも大きければステップＳ１０３へ移行し、小さければステップＳ１０４へ移行する。
【０１７８】
尚、各光源の閾値は、上述した例と同様である。
【０１７９】
そして、ステップＳ１００では、光源が蛍光灯を含む場合の光源の混合割合を示す量、すなわちミックスレベルが算出される。ミックスレベルの算出式や考え方は、上述したとおりである。同様に、ステップＳ１０１では光源が太陽光を含む場合のミックスレベルが算出され、ステップＳ１０２では光源がタングステン光を含む場合のミックスレベルが算出される。更に、ステップＳ１０３では、光源がブルーフラッドランプを含む場合のミックスレベルが算出される。
【０１８０】
こうして光源が検出されると、本ルーチンを抜けて図１４のフローチャートに於けるステップＳ６２へ移行する。
【０１８１】
このように、第２の実施形態によれば、光源センサ５５の出力輝度差に応じて、同じ光源であっても補正量を変化させているので、例えば、光源が室内の窓際等のように、蛍光灯と太陽光の混合光のように光源判定の閾値に極めて近い場合であっても、光源の混合割合に応じた補正を可能にしている。更に、補正量が光源センサ５５の出力に応じて連続的に変化する構成となっているため、連続撮影する場合でも、光源判定結果に応じて急に補正量が変化することなく安定した露出が得られる。
【０１８２】
以上のようにして、光源に応じて適切な露光にて撮影を行うことができる。
【０１８３】
尚、上述した第１及び第２の実施形態は、一眼レフレックスタイプのデジタルカメラに適用された例について述べたが、これに限られるものではなく、レンズ一体型のカメラであっても良い。
【０１８４】
また、上述した実施形態では、太陽光、蛍光灯、タングステン光、ブルーフラッドランプの４種類の光源について検出するようにしているが、これら４種類だけでなく、より細かな光源を検出して精度の良い補正を行うことも可能である。
【０１８５】
更に、上述した実施形態では、測光はＴＴＬ方式、光源検出は外部測光によるものとしたが、光源検出もＴＴＬ方式により行っても良い。その場合、被写体の影響を受けやすくなる反面、測光との視野が等しくなるので、例えば望遠レンズを用いて、撮影場所とは光源の異なる被写体を撮影する場合に有効である。
【０１８６】
また、上述した実施形態に於いては、測光センサの出力輝度値を補正することにより、露出量を補正しているが、輝度から露出量を演算後に補正してもかまわない。
【０１８７】
上述した実施形態では、シャッタ部にフォーカルプレーンシャッタが用いられた例で説明したが、これに限られるものではない。
【図面の簡単な説明】
【０１８８】
【図１】本発明の第１の実施形態に係るデジタルカメラの一部を切断してその内部構成を概略的に示す斜視図である。
【図２】本デジタルカメラの主に電気的な構成を概略的に示すブロック構成図である。
【図３】測光センサ３２の測光パターンとスポット測光領域の例を示した図である。
【図４】光源の分光特性について説明するもので、光源による分光特性を示した図である。
【図５】測光センサとＣＣＤユニット（撮像素子）の分光特性について説明するもので、撮像素子と測光素子の分光感度の相違を示した特性図である。
【図６】ＣＣＤユニット（撮像素子）の分光特性について説明するもので、撮像素子の分光感度の特性図である。
【図７】光源による赤外測光と可視測光の差（ΔＥＶ）を、タングステンランプを基準として規格化して表した図であり、本実施の形態の光源検出原理を示す図である。
【図８】光源センサ５５の光学配置について示した図である。
【図９】この光源センサ５５の構成を示した平面図である。
【図１０】この発明の第１の実施形態に従ったデジタルカメラの動作について説明するもので、露出演算の動作を説明するフローチャートである。
【図１１】図１０のフローチャートに於けるステップＳ２のサブルーチン「測光」の詳細な動作について説明するフローチャートである。
【図１２】図１１のフローチャートに於けるステップＳ１１のサブルーチン「光源検出」の詳細な動作について説明するフローチャートである。
【図１３】各光源の閾値の例を示した図である。
【図１４】この発明の第２の実施形態に於ける、図１０のフローチャートのステップＳ２のサブルーチン「測光」の詳細な動作について説明するフローチャートである。
【図１５】光源の混合割合に応じた補正量算出について説明する図である。
【図１６】図１４のフローチャートに於けるステップＳ６１のサブルーチン「光源検出」の詳細な動作について説明するフローチャートである。
【符号の説明】
【０１８９】
１０…デジタルカメラ、１１…カメラ本体、１２…レンズ鏡筒、１２ａ…撮影光学系、１３…レリーズ釦、１４…拡散板、１６…ファインダ装置、１６ａ…クイックリターンミラー、１６ｂ…ペンタプリズム、１６ｃ…接眼レンズ、１７…シャッタ部、１８…撮像ユニット、２１…撮影レンズ、２２…絞り、２５…レンズ制御用マイクロコンピュータ（Ｌμｃｏｍ）、３２…測光センサ、３３測光回路、３５…サブミラー、３６…ＡＦセンサユニット、４０…ＣＣＤユニット（撮像素子）、４１…ＣＣＤインターフェイス回路、４２…画像処理コントローラ、４３…液晶モニタ、４９…不揮発性メモリ（ＥＥＰＲＯＭ）、５０…ボディ制御用マイクロコンピュータ（Ｂμｃｏｍ）、５１…ストロボ測光センサ、５２…ストロボ光検出回路、５３…ストロボ光制御回路、５４…光源検出回路、５５…光源センサ、６１…ストロボ通信回路、６２、６３…通信コネクタ、６４…ストロボ装置。
【図１】
2005115145.tif 000003
【図２】
2005115145.tif 000004
【図３】
2005115145.tif 000005
【図４】
2005115145.tif 000006
【図５】
2005115145.tif 000007
【図６】
2005115145.tif 000008
【図７】
2005115145.tif 000009
【図８】
2005115145.tif 000010
【図９】
2005115145.tif 000011
【図１０】
2005115145.tif 000012
【図１１】
2005115145.tif 000013
【図１２】
2005115145.tif 000014
【図１３】
2005115145.tif 000015
【図１４】
2005115145.tif 000016
【図１５】
2005115145.tif 000017
【図１６】
2005115145.tif 000018